(57)【要約】【課題】化粧カバーをベース部材に着脱する際の作業性低下を回避する。【解決手段】便座装置Ａは、便器本体Ｂの台座部Ｃの上面に取り付けられるベース部材１０と、ベース部材１０に揺動可能に支持された便座１４と、ベース部材１０に対して離脱可能に取り付けられ、台座部Ｃの上面よりも下方に配置される機能部材を覆う化粧カバー１６と、ベース部材１０に対し直接的に取り付けられたスピーカー１０とを備えている。【選択図】図３
2010194107.tif 000002
【特許請求の範囲】
【請求項１】
後端部に台座部が形成されている便器本体と、
前記台座部の上面に取り付けられるベース部材と、
揺動可能な便座と、
前記ベース部材に対して離脱可能に取り付けられ、前記台座部の上面よりも下方に配置される機能部材を覆う化粧カバーと、
前記ベース部材に対し直接的に取り付けられたスピーカーとを備えていることを特徴とする便座装置。
【請求項２】
前記ベース部材と前記スピーカーには、
締結部材を介して互いに締結されることで、前記ベース部材に対して前記スピーカーを固定する固定部と、
前記固定部が締結されていない状態において、互いに係止することで、前記スピーカーを前記ベース部材における所定の固定位置に保持する仮止め部とが設けられていることを特徴とする請求項１記載の便座装置。
【請求項３】
前記ベース部材は、前記台座部に載置される水平な板状取付部を有し、
前記スピーカーは、前記板状取付部の上面よりも下方の位置に配置され、
前記板状取付部には、上下に貫通する形態の貫通孔と、前記貫通孔の近傍に位置する前記固定部が形成され、
前記スピーカー側の前記固定部は、前記板状取付部の下方から前記貫通孔内に進入して前記ベース部材側の前記固定部の上面に載置されるような突起状の形態であることを特徴とする請求項２記載の便座装置。
【請求項４】
前記板状取付部には、前記スピーカー側の前記固定部を前記貫通孔に差し込んで前記ベース部材側の前記固定部に載置させる過程で、前記スピーカーを所定の固定位置に案内するガイド部が形成されていることを特徴とする請求項３記載の便座装置。
【請求項５】
前記スピーカーは、音の発生機能を備えた本体と、前記本体を包囲するケースとから構成されており、
前記固定部と前記仮止め部が、前記ケースに形成されていることを特徴とする請求項２ないし請求項４のいずれか１項に記載の便座装置。
【請求項６】
前記機能部材は、前記化粧カバーの裏面に対して近接して対向する対向外面を有しており、
前記化粧カバーで覆われる領域内には、前記対向外面に隣接するように位置し、前記化粧カバーの裏面に向かって開口する凹部が設けられており、
前記凹部内には、前記スピーカーが、その正面を前記化粧カバーに向ける姿勢で配置されていることを特徴とする請求項１ないし請求項５のいずれか１項に記載の便座装置。
【発明の詳細な説明】
【技術分野】
【０００１】
本発明は、スピーカーを備えた便座装置に関するものである。
【背景技術】
【０００２】
特許文献１には、スピーカーを備えた便座装置が開示されている。この便座装置は、便器本体における便鉢の後方位置に取り付けられるベース部材と、揺動可能な便座と、ベース部材に対して離脱可能に取り付けられてベース部材よりも下方に配置された機能部材を覆う化粧カバーと、スピーカーとを備えている。
【先行技術文献】
【特許文献】
【０００３】
【特許文献１】特開２００５−３０７４８２号公報
【発明の概要】
【発明が解決しようとする課題】
【０００４】
上記の便座装置では、スピーカーが化粧カバーに取り付けられているのであるが、スピーカーから延びた電線は、ベース部材に設けた回路基板に接続されており、電線とスピーカーを介してベース部材とベース部材が繋がった状態となっている。そのため、機能部材のメンテナンス等のために化粧カバーをベース部材から外したときには、化粧カバーを自由に取り回すことができず、化粧カバーの置き場所に困ることが懸念される。また、化粧カバーをベース部材に取り付ける際には、電線を、挟み込まないように所定の空間内に納める必要があるため、作業が円滑に進まないという事態も考えられる。
【０００５】
本発明は上記のような事情に基づいて完成されたものであって、化粧カバーをベース部材に対して着脱する際の作業性の低下回避することを目的とする。
【課題を解決するための手段】
【０００６】
上記の目的を達成するための手段として、請求項１の発明は、後端部に台座部が形成されている便器本体と、前記台座部の上面に取り付けられるベース部材と、揺動可能な便座と、前記ベース部材に対して離脱可能に取り付けられ、前記台座部の上面よりも下方に配置される機能部材を覆う化粧カバーと、前記ベース部材に対し直接的に取り付けられたスピーカーとを備えているところに特徴を有する。
【０００７】
請求項２の発明は、請求項１に記載のものにおいて、前記ベース部材と前記スピーカーには、締結部材を介して互いに締結されることで、前記ベース部材に対して前記スピーカーを固定する固定部と、前記固定部が締結されていない状態において、互いに係止することで、前記スピーカーを前記ベース部材における所定の固定位置に保持する仮止め部とが設けられているところに特徴を有する。
【０００８】
請求項３の発明は、請求項２に記載のものにおいて、前記ベース部材は、前記台座部に載置される水平な板状取付部を有し、前記スピーカーは、前記板状取付部の上面よりも下方の位置に配置され、前記板状取付部には、上下に貫通する形態の貫通孔と、前記貫通孔の近傍に位置する前記固定部が形成され、前記スピーカー側の前記固定部は、前記板状取付部の下方から前記貫通孔内に進入して前記ベース部材側の前記固定部の上面に載置されるような突起状の形態であるところに特徴を有する。
【０００９】
請求項４の発明は、請求項３に記載のものにおいて、前記板状取付部には、前記スピーカー側の前記固定部を前記貫通孔に差し込んで前記ベース部材側の前記固定部に載置させる過程で、前記スピーカーを所定の固定位置に案内するガイド部が形成されているところに特徴を有する。
【００１０】
請求項５の発明は、請求項２ないし請求項４のいずれかに記載のものにおいて、前記スピーカーは、音の発生機能を備えた本体と、前記本体を包囲するケースとから構成されており、前記固定部と前記仮止め部が、前記ケースに形成されているところに特徴を有する。
【００１１】
請求項６の発明は、請求項１ないし請求項５のいずれかに記載のものにおいて、前記機能部材は、前記化粧カバーの裏面に対して近接して対向する対向外面を有しており、前記化粧カバーで覆われる領域内には、前記対向外面に隣接するように位置し、前記化粧カバーの裏面に向かって開口する凹部が設けられており、前記凹部内には、前記スピーカーが、その正面を前記化粧カバーに向ける姿勢で配置されているところに特徴を有する。
【発明の効果】
【００１２】
＜請求項１の発明＞
スピーカーは、化粧カバーに取り付けられているのではなく、ベース部材に対し直接的に取り付けられているので、スピーカーをベース部材に取り付けた状態のままで、化粧カバーをベース部材に対して着脱することができる。したがって、化粧カバーの着脱に際しては、スピーカーから延びた電線の存在に起因する不具合が生じることがなく、作業性に優れている。
【００１３】
＜請求項２の発明＞
スピーカーをベース部材に取り付ける際には、仮止め部によりスピーカーを所定の固定位置に保持し、その後、スピーカーをベース部材に締結する作業を行えばよい。スピーカーを締結するときに、スピーカーを手で押さえておく必要がないので、作業性がよい。
【００１４】
＜請求項３の発明＞
スピーカーは、台座部に載置される板状取付部の上面よりも下方に配置されているので、スピーカーを化粧カバーで覆い隠すことができる。また、ベース部材における固定部の近傍に貫通孔を形成して、スピーカー側の固定部をベース部材側の固定部の上面に載置させるようにしたので、仮止め状態におけるスピーカーの姿勢や位置が安定する。
【００１５】
＜請求項４の発明＞
スピーカー側の固定部を、貫通孔に差し込んでベース部材側の固定部の上面に載置する過程では、スピーカーが所定の固定位置に案内されることにより、スピーカー側の仮止め部がベース部材側の仮止め部に対して確実に係止するので、作業性に優れている。
【００１６】
＜請求項５の発明＞
スピーカーを、音の発生機能を備えた本体と、スピーカーをベース部材に取り付けるための機能を備えたケースとによって構成しているので、音の発生機能とベース部材への取付け機能の両機能を高いレベルで向上させることが可能である。
【００１７】
＜請求項６の発明＞
化粧カバーをベース部材に取り付けた状態では、スピーカーの正面は化粧カバーで覆い隠される。また、化粧カバーを外した状態では、スピーカーは、機能部材に隣接する凹部内に収容されているので、機能部材の外面からは突出しない。したがって、スピーカーの正面に配置される振動板や保護ネットが、他部材や人との干渉によって損傷する虞はない。
【図面の簡単な説明】
【００１８】
【図１】実施形態１の側面図
【図２】化粧カバーを外した状態をあらわす便座装置の一部切欠部分拡大側面図
【図３】スピーカーの取付け構造をあらわす部分拡大平面図
【図４】スピーカーをベース部材から外した状態をあらわす部分拡大平面図
【図５】図３のＸ−Ｘ線断面図
【図６】スピーカーをベース部材から外した状態をあらわす断面図
【図７】スピーカーをベース部材に取り付ける過程をあらわす断面図
【発明を実施するための形態】
【００１９】
＜実施形態１＞
以下、本発明を具体化した実施形態１を図１乃至図７を参照して説明する。本実施形態の便座装置Ａは、洋風の便器本体Ｂに取り付けられた状態で使用され、この便座装置Ａと便器本体Ｂとによって便器装置が構成されている。便器本体Ｂは、上面が開放された便鉢（図示省略）と、便鉢の後方に一体に形成された台座部Ｃとを備えた周知の形態のものである。
【００２０】
便座装置Ａは、ベース部材１０、便座１４、便蓋１５、複数の機能部材、左右一対の化粧カバー１６を備えて構成される。ベース部材１０は、便器本体Ｂの台座部Ｃの上面に固定される合成樹脂製の支持部材１１と、支持部材１１に対して昇降可能に支持された昇降部材３８とを備えて構成される。
【００２１】
支持部材１１の略前半領域は、台座部Ｃに載置した状態で固定される板状取付部１２となっており、支持部材１１のうち台座部Ｃよりも後方へ突出した略後半領域には、台座部Ｃの上面よりも下方に位置する複数の機能部材が取り付けられている。この台座部Ｃの上面よりも下方に位置する機能部材としては、スピーカー４０を含むオーディオ装置、温風発生装置１３、開閉弁装置、定流量弁装置、ストレーナー、逆止弁装置、ブースター装置等がある。
【００２２】
昇降部材３８には、便座１４と便蓋１５が揺動可能に取り付けられている。昇降部材３８に取り付けられる機能部材としては、図示は省略するが、局部洗浄装置、便座暖房装置、便座開閉装置、便蓋開閉装置等がある。
【００２３】
左右一対の化粧カバー１６は、台座部Ｃの上面よりも下方に配置される機能部材（温風発生装置１３を含む）を左右両側から挟むように配置され、これらの機能部材を覆う。化粧カバー１６の上端縁には、上方へ突出するリブ状取付部（図示省略）が形成され、化粧カバー１６の内面のうち上下方向における略中央位置には、フック部材（図示省略）が取り付けられている。化粧カバー１６は、リブ状取付部を支持部材１１の左右両側面の取り付け溝（図示省略）に嵌入することにより前後左右方向に位置決めされるとともに、フック部材を機能部材の左右両側面に形成した突起部に嵌合させることにより、上下方向への移動を規制され且つ側方への離脱を規制された状態で、支持部材１１に取り付けられている。
【００２４】
化粧カバー１６の上端部には、前後方向に細長い複数のスリット状開口部１７が整列して配置されている。化粧カバー１６をベース部材１０に取り付けた状態では、スリット状開口部１７は機能部材と対応する。具体的には、スピーカー４０の正面と対応するともに、温風発生装置１３の温風吹き出し口１８と対応する。  温風発生装置１３の外側面のうち温風吹き出し口１８が開口している領域は、化粧カバー１６の裏面に対して近接して対向する対向外面１９となっている。また、温風発生装置１３の外側面のうち温風吹き出し口１８の前方に隣接する領域は、化粧カバー１６から離間するように凹んだ形態、即ち化粧カバー１６の裏面に向かって開口した形態の凹部２０となっている。この凹部２０内にはスピーカー４０が収容されている。
【００２５】
次に、ベース部材１０におけるスピーカー４０の取付け構造と、スピーカー４０について説明する。
ベース部材１０の板状取付部１２の左右両端部は、台座部Ｃから外側方へ突出しており、この突出した左右両端部には、上下方向に貫通する一対の貫通孔２１が形成されている。貫通孔２１の開口形状は、左右方向に長い方形であり、その前後方向の開口幅は、一定である。
【００２６】
板状取付部１２には、貫通孔２１のうち左右方向における中央側（化粧カバー１６から遠い側）の端縁に隣接するように固定用受け部２２（本発明の構成要件であるベース部材１０側の固定部）が形成されている。固定用受け部２２は、板状取付部１２の下面から下方へ突出した形態であり、板状取付部１２の上面には、固定用受け部２２と対応する方形の領域を凹ませた形態の切欠部２３が形成されている。
【００２７】
この切欠部２３の前後方向の開口幅は、貫通孔２１の開口幅と同じ寸法である。そして、貫通孔２１内の前面と切欠部２３内の前面は、互いに面一状に連続した形態であってガイド面２４（本発明の構成要件であるガイド部）を構成し、貫通孔２１内の後面と切欠部２３内の後面も、互いに面一状に連続した形態であってガイド面２４（本発明の構成要件であるガイド部）を構成する。
【００２８】
また、切欠部２３の底面、即ち固定用受け部２２の上面は、左右方向において板状取付部１２の外側（化粧カバー１６に近い側）に向かって下り勾配となったガイド斜面２５（本発明の構成要件であるガイド部）となっている。そして、固定用受け部２２には、軸線を上下方向に向けてガイド斜面２５に開口するビス止め孔２６が形成されている。
【００２９】
板状取付部１２には、仮止め部２７が形成されている。仮止め部２７は、板状取付部１２の外側縁部を切欠した形態の逃がし部２８と、前後一対の板状受け部２９と、前後一対の突起状受け部３０とから構成されいる。逃がし部２８は、前後方向において貫通孔２１と対応する位置に形成されている。この逃がし部２８内には、一対の板状受け部２９が配置されている。
【００３０】
前側の板状受け部２９は、水平な方形板状をなし、板状取付部１２の上面よりも低い位置に配されており、逃がし部２８内の側縁における前端部と逃がし部２８の前縁とに連なっている。後側の板状受け部２９は、水平な方形板状をなし、板状取付部１２の上面よりも低い位置に配されており、逃がし部２８内の側縁における後端部と逃がし部２８の後縁とに連なっている。各板状受け部２９には、夫々、その前後方向の側縁に沿って上方へリブ状に突出した形態の突起状受け部３０が形成されている。
【００３１】
スピーカー４０は、本体４１の外周にケース４２を嵌合した形態である。本体４１は、振動板（図示省略）と、振動板を振動させるための駆動部（図示省略）とを備えており、音を発生させる機能を有する。本体４１は、全体として円形をなし、その正面には、振動板を保護するための保護ネット（図示省略）が取り付けられている。本体４１の外周面からは、駆動部に通電するための電線（図示省略）が導出されている。電線は、オーディオ装置の回路に接続されている。ケース４２は、合成樹脂製であり、本体４１に対しその外周と背面を覆うように組み付けられている。
【００３２】
スピーカー４０をベース部材１０に取り付けた状態では、スピーカー４０の正面が、化粧カバー１６の裏面と対向する向きであって、斜め下方を向いた姿勢で取り付けられるため、以下の説明における前後左右の向きは、ベース部材１０に取り付けた状態を基準とする。
【００３３】
ケース４２には、仮止め部４３が一体に形成されている。仮止め部４３は、ケース４２の上面から上方に突出した形態の立上り部４４と、前後一対の板状部４５と、前後一対の突起状係止部４６とから構成されている。一対の板状部４５は、立上り部４４の上端縁から前方と後方へ水平に突出した形態であり、この一対の板状部４５の背面側（化粧カバー１６とは反対側）の端縁には、前後方向に細長く下方へリブ状に突出した形態の突起状係止部４６が形成されている。
【００３４】
同じくケース４２には、固定アーム部４７（本発明の構成要件であるスピーカー４０側の固定部）が形成されている。固定アーム部４７は、ケース４２の外周上端面のうち仮止め部４３よりも背面側の位置から、背面側へ斜め上向きに突出した形態である。固定アーム部４７の幅寸法（前後方向の寸法）は、貫通孔２１の前後方向の開口寸法と同じかそれよりも僅かに小さい寸法である。固定アーム部４７の突出端部の上面は、水平に形成されていて、この水平な領域には、上下方向に貫通するビス孔４８が形成されている。
【００３５】
次に、本実施形態の作用を説明する。スピーカー４０をベース部材１０に取り付ける際には、化粧カバー１６をベース部材１０から外し、板状取付部１２の下方にスピーカー４０を位置させ、固定アーム部４７を貫通孔２１内に進入させるようにする。この間、固定アーム部４７の前後両側縁が、前後両ガイド面２４に間に挟まれることにより、スピーカー４０は、前後方向への相対移動を規制され、所定の姿勢に保持される。
【００３６】
スピーカー４０の取り付け作業を進めていくと、固定アーム部４７の突出端部の下面がガイド斜面２５上に摺接するようになり、スピーカー４０は、斜め上方へ誘導され、所定の固定位置に向かって誘導される。この間、スピーカー４０側の仮止め部４３が、ベース部材１０側の仮止め部２７に接近していく。
【００３７】
そして、スピーカー４０が所定の固定位置に到達すると、立上り部４４が前後一対の板状受け部２９の間に嵌合するとともに、突起状係止部４６と突起状受け部３０とが係止する。これにより、スピーカー４０側の仮止め部４３とベース部材１０側の仮止め部２７とが係止状態となり、この係止作用により、スピーカー４０は所定の固定位置及び固定姿勢に保持される。
【００３８】
この後は、上方からビス４９（本発明の構成要件である締結部材）をビス孔４８に差込み、ビス止め孔２６にねじ込めば、スピーカー４０は、ベース部材１０に対しその板状取付部１２の上面よりも下方の位置に締結状態で固定される。この状態では、板状部４５の上面は板状取付部１２の上面とほぼ同じ高さに位置するが、固定アーム部４７の上面は板状取付部１２の上面よりも低い高さとなる。そして、スピーカー４０を固定した後は、化粧カバー１６をベース部材１０に取り付ける。
【００３９】
上述のように本実施形態においては、スピーカー４０は、化粧カバー１６に取り付けられているのではなく、ベース部材１０に対して直接的に取り付けられているので、スピーカー４０をベース部材１０に取り付けた状態のままで、化粧カバー１６をベース部材１０に対して着脱することができる。したがって、化粧カバー１６の着脱に際しては、スピーカー４０から延びた電線の存在に起因する不具合が生じることがなく、作業性に優れている。
【００４０】
また、ベース部材１０の固定用受け部２２とスピーカー４０の固定アーム部４７は、ビス４９を介して互いに締結されることで、ベース部材１０に対してスピーカー４０を固定するのであるが、ベース部材１０とスピーカー４０には、固定用受け部２２と固定アーム部４７が締結されていない状態において、互いに係止することで、スピーカー４０をベース部材１０における所定の固定位置に保持するための仮止め部２７，４３が設けられている。したがって、仮止め部２７，４３によって、スピーカー４０を所定の固定位置に保持しておけば、スピーカー４０をベース部材１０に締結する際に、スピーカー４０を手で押さえておく必要がなく、作業性に優れている。
【００４１】
また、ベース部材１０は、台座部Ｃに載置される水平な板状取付部１２を有し、スピーカー４０は、板状取付部１２の上面よりも下方の位置に配置され、板状取付部１２には、上下に貫通する形態の貫通孔２１と、貫通孔２１の近傍に位置する固定用受け部２２が形成され、スピーカー４０の固定アーム部４７は、板状取付部１２の下方から貫通孔２１内に進入して固定用受け部２２の上面に載置されるような突起状の形態となっている。
【００４２】
この構成によれば、スピーカー４０は、台座部Ｃに載置される板状取付部１２の上面よりも下方に配置されているので、スピーカー４０を化粧カバー１６で覆い隠すことができる。また、ベース部材１０には固定用受け部２２の近傍に貫通孔２１を形成して、スピーカー４０側の固定アーム部４７を固定用受け部２２の上面に載置させるようにしたので、仮止め状態におけるスピーカー４０の姿勢や位置が安定する。
【００４３】
また、板状取付部１２には、スピーカー４０の固定アーム部４７を貫通孔２１に差し込んで固定用受け部２２に載置させる過程で、スピーカー４０を所定の固定位置に案内するガイド面２４とガイド斜面２５とが形成されている。このガイド面２４とガイド斜面２５で案内されることにより、スピーカー４０の仮止め部４３がベース部材１０の仮止め部２７に対して確実に係止するので、作業性に優れている。
【００４４】
また、スピーカー４０を、音の発生機能を備えた本体４１と、スピーカー４０をベース部材１０に取り付けるための機能（固定アーム部４７と仮止め部４３）を備えたケース４２とによって構成しているので、音の発生機能とベース部材１０への取付け機能の両機能を高いレベルで向上させることが可能である。
【００４５】
また、機能部材のうち温風発生装置１３は、化粧カバー１６の裏面に対して近接して対向する対向外面１９を有し、化粧カバー１６で覆われる領域内には、対向外面１９に隣接するように位置するとともに、化粧カバー１６の裏面に向かって開口する凹部２０が設けられている。そして、この凹部２０内に、スピーカー４０が、その正面を化粧カバー１６に向ける姿勢で配置されている。
【００４６】
この構成によれば、化粧カバー１６をベース部材１０に取り付けた状態において、スピーカー４０の正面が化粧カバー１６で覆い隠され、また、化粧カバー１６を外した状態では、スピーカー４０は、機能部材（温風発生装置１３）に隣接する凹部２０内に収容されているので、機能部材の対向外面１９からは突出しない。したがって、スピーカー４０の正面に配置される振動板や保護ネットが、他部材や人との干渉によって損傷する虞はない。
【００４７】
＜他の実施形態＞
本発明は上記記述及び図面によって説明した実施形態に限定されるものではなく、例えば次のような実施態様も本発明の技術的範囲に含まれる。
（１）上記実施形態ではスピーカーを板状取付部の上面よりも下方の位置に配置したが、本発明によれば、スピーカーを板状取付部の上面よりも上方に配置してもよい。
（２）上記実施形態ではスピーカーを化粧カバーで覆うようにしたが、本発明によれば、スピーカーは化粧カバーで覆われない形態であってもよい。
（３）上記実施形態ではスピーカーを機能部材の対向外面に隣接する凹部内に収容したが、スピーカーは、機能部材の対向外面よりも突出した形態で配置されていてもよい。
（４）上記実施形態ではベース部材とスピーカーに仮止め部を設けたが、本発明によれば、このような仮止め部を設けず、スピーカーをベース部材に取り付ける際には、スピーカーを手で保持しながらビス止めを行ってもよい。
（５）上記実施形態では、スピーカーが、容易に離脱可能な本体とケースとを組み付けた構造とした上で、ケースに固定部（固定アーム部）と仮止め部を形成したが、本発明によれば、本体から容易に離脱可能なケースを設けず、本体の筐体に固定部と仮止め部を形成してもよい。
（６）上記実施形態ではスピーカー側の固定アーム部（固定部）に貫通させたビス（締結部材）をベース部材側の固定用受け部（固定部）にねじ込むようにしたが、本発明によれば、ベース部材側の固定部に貫通させたビスをスピーカー側の固定部にねじ込むようにしてもよい。
（７）上記実施形態ではベース部材に貫通孔を形成して、スピーカー側の固定部（固定アーム部）をベース部材側の固定部（固定用受け部）の上面に載置させるようにしたが、本発明によれば、スピーカー側の固定部をベース部材側の固定部における上面以外の面（正面、側面、背面、下面）に当接させて固定してもよい。
（８）上記実施形態では締結部材としてビスを用いたが、本発明によれば、締結部材は、金属製のクリップ等のビス以外の部材であってもよい。
（９）上記実施形態ではビスの頭部が板状取付部の上面から僅かに突出するようになっているが、ビスの頭部が板状取付部の上面から上方へ突出しない形態としてもよい、このような形態にすれば、板状取付部の上面に他の機能部材や機器等を載置して設けるときに、ビスが邪魔にならずに済む。
【符号の説明】
【００４８】
Ａ…便座装置
Ｂ…便器本体
Ｃ…台座部
１０…ベース部材
１２…板状取付部
１４…便座
１３…温風発生装置（機能部材）
１６…化粧カバー
１９…対向外面
２０…凹部
２１…貫通孔
２２…固定用受け部（ベース部材側の固定部）
２４…ガイド面（ガイド部）
２５…ガイド斜面（ガイド部）
２７…ベース部材側の仮止め部
４０…スピーカー
４１…本体
４２…ケース
４３…スピーカー側の仮止め部
４７…固定アーム部（スピーカー側の固定部）
４９…ビス（締結部材）
【図１】
2010194107.tif 000003
【図２】
2010194107.tif 000004
【図３】
2010194107.tif 000005
【図４】
2010194107.tif 000006
【図５】
2010194107.tif 000007
【図６】
2010194107.tif 000008
【図７】
2010194107.tif 000009